(57)【要約】車両（１）の快適性を少なくとも１人の車両ユーザ（２）のために適合させる方法（Ｖ）を実行する。車両は、少なくとも１人の車両ユーザと車両との間の相互作用のためのＨＭＩシステム（３）を備える。さらに車両（１）は、少なくとも１人の車両ユーザの位置を道路に対して適合させるシャーシシステム（４）を備える。さらに車両は、車両（１）の動きを計画および調整する（１０５）位置計画装置（５）を備える。またさらに車両は、ＨＭＩシステム、位置計画装置、およびシャーシシステムと接続された調整装置（６）を備える。調整装置はメモリを備える。この方法では、少なくとも１人の車両ユーザのための目標快適領域（１０１）は、調整装置のメモリに記憶されている。ＨＭＩシステムを用いて、少なくとも１人の車両ユーザの現在の快適領域（１０２）を常に決定する。現在の快適領域を、目標快適領域と常に比較する（１０３）。調整装置は、比較結果に基づいてシャーシシステムを作動させる。その際、目標快適領域に到達するまで、現在の快適領域が目標快適領域に近づくように、少なくとも１人の車両ユーザの位置を道路に対して適合させる。【選択図】図２
2021501718.tif 000002
【特許請求の範囲】
【請求項１】
車両（１）の快適性を少なくとも１人の車両ユーザ（２）のために適合させる方法（Ｖ）であって、前記車両（１）は、
前記少なくとも１人の車両ユーザ（２）と前記車両（１）との間の相互作用のためのＨＭＩシステム（３）と、
前記少なくとも１人の車両ユーザ（２）の位置を道路に対して適合させるシャーシシステム（４）と、
前記車両（１）の動きを計画および調整する（１０５）位置計画装置（５）と、
前記ＨＭＩシステム（３）、前記位置計画装置（５）、および前記シャーシシステム（４）と接続され、メモリを備える調整装置（６）と、を備え、
前記少なくとも１人の車両ユーザ（２）のための目標快適領域（１０１）を、前記調整装置（６）の前記メモリに記憶させ、
前記ＨＭＩシステム（３）を用いて、前記少なくとも１人の車両ユーザ（２）の現在の快適領域（１０２）を常に決定し、
前記現在の快適領域（１０２）を、前記目標快適領域（１０１）と常に比較（１０３）し、
前記調整装置（６）は、比較結果に基づいて前記シャーシシステム（４）を作動させ、前記目標快適領域（１０１）に到達するまで、前記現在の快適領域（１０２）が前記目標快適領域（１０１）に近づくように、前記少なくとも１人の車両ユーザ（２）の位置を道路に対して適合させる、方法（Ｖ）。
【請求項２】
請求項１に記載の方法（Ｖ）であって、前記調整装置（６）は、比較結果に基づいて、前記シャーシシステム（４）を作動させることに加えて、前記ＨＭＩシステム（３）を作動させ、前記少なくとも１人の車両ユーザ（２）に、前記車両（１）の前記位置計画装置（５）の現在の動きのデータを、前記ＨＭＩシステム（３）を用いて通信し、それによって、前記目標快適領域（１０１）に到達するまで、現在の快適領域（１０２）が前記目標快適領域（１０１）に近づくことを特徴とする、方法（Ｖ）。
【請求項３】
請求項２に記載の方法（Ｖ）であって、前記少なくとも１人の車両ユーザ（２）に、前記車両（１）の前記位置計画装置（５）の将来の動きのデータを、前記ＨＭＩシステム（３）を用いて通信することを特徴とする、方法（Ｖ）。
【請求項４】
請求項１〜３の何れか一項に記載の方法（Ｖ）であって、前記車両（１）は、前記調整装置（６）と接続されたインテリアシステム（７）を備え、前記調整装置（６）は、追加的に、前記車両（１）の前記インテリアシステム（７）を作動させ、前記目標快適領域（１０１）に到達するまで、現在の快適領域（１０２）が前記目標快適領域（１０１）に近づくように、前記インテリアシステム（７）を適合させることを特徴とする、方法（Ｖ）。
【請求項５】
請求項１〜４の何れか一項に記載の方法（Ｖ）であって、前記ＨＭＩシステム（３）は、前記少なくとも１人の車両ユーザ（２）の注意深さの程度を決定し、前記注意深さの程度は、現在の快適領域（１０２）と関連していることを特徴とする、方法（Ｖ）。
【請求項６】
請求項１〜５の何れか一項に記載の方法（Ｖ）であって、前記位置計画装置（５）は、動きのデータの一部として、前記車両（１）の軌道を計画し、前記少なくとも１人の車両ユーザ（２）に、これらの軌道を、前記ＨＭＩシステム（３）を用いて通信することを特徴とする、方法（Ｖ）。
【請求項７】
請求項１〜６の何れか一項に記載の方法（Ｖ）であって、前記調整装置（６）は、追加的に、前記位置計画装置（５）を作動させ、前記目標快適領域（１０１）に到達するまで、現在の快適領域（１０２）が前記目標快適領域（１０１）に近づくように、前記車両（１）の動きの計画（１０５）を適合させることを特徴とする、方法（Ｖ）。
【請求項８】
請求項１〜７の何れか一項に記載の方法（Ｖ）であって、前記少なくとも１人の車両ユーザ（２）の現在の快適領域（１０２）を、前記ＨＭＩシステム（３）を用いて検出したバイタルパラメータに基づいて決定することを特徴とする、方法（Ｖ）。
【請求項９】
請求項２〜８の何れか一項に記載の方法（Ｖ）であって、前記ＨＩＭシステム（３）は、前記少なくとも１人の車両ユーザ（２）と光学的および／または音響的および／または触覚的に通信することを特徴とする、方法（Ｖ）。
【請求項１０】
車両（１）のための調整装置（６）であって、前記車両（１）のＨＭＩシステム（３）、シャーシシステム（４）、および位置計画装置（５）と接続可能であり、前記調整装置は（６）は、請求項１〜９の何れか一項に記載の、前記車両（１）の快適性を少なくとも１人の車両ユーザ（２）のために適合させる方法（Ｖ）を実行することを特徴とする、調整装置（６）。
【請求項１１】
請求項１０に記載の調整装置（６）であって、前記調整装置（６）はインテリアシステム（７）と接続可能であることを特徴とする、調整装置（６）。
【請求項１２】
少なくとも１人の車両ユーザ（２）のための車両（１）であって、ＨＭＩシステム（３）と、シャーシシステム（４）と、位置計画装置（５）と、を備え、前記車両（１）は請求項１０に記載の調整装置（６）を備え、前記車両（１）が、請求項１〜９の何れか一項に記載の、快適性を少なくとも１人の車両ユーザ（２）のために適合させる方法（Ｖ）を実行することを特徴とする、車両（１）。
【請求項１３】
請求項１２に記載の車両（１）であって、追加的にインテリアシステム（７）を備えることを特徴とする、車両（１）。
【発明の詳細な説明】
【技術分野】
【０００１】
本発明は、請求項１に記載の特徴を有する車両の快適性を適合させる方法、請求項１０に記載の特徴を有する車両のための調整装置、および請求項１２に記載の特徴を有する車両に関する。
【背景技術】
【０００２】
道路交通における運転業務の自動化が増加するにつれて、運転者は車両をコントロールすることが少なくなって、乗客となる。これにより、運転者は、例えば読書、作業、睡眠などの副次的行為を車両内で行うことができる。人間の前庭による平衡感覚と視覚による感覚が一致しない場合、これが、快適性が欠ける原因、特に乗り物酔い（Reisekrankheit; Kinetose）の原因となる可能性がある。車両内での車両ユーザの副次的行為のために、車両ユーザは周囲を全体的に認識することができない。その結果、車両ユーザが、車両の現在の動きを評価することができず、車両の将来の動きも予測することができない。
【０００３】
車両における乗り物酔いを抑制するシステムは、ドイツ実用新案出願公開第２０１１６４６９  Ｕ１号明細書から知られている。システムは、車両加速度および／または車両速度および／または車間距離を検出する少なくとも１つのセンサを備える。さらに、システムは、少なくとも１つの制御装置、および車両室内に存在する少なくとも１つの表示装置を備える。制御装置は、センサの情報、またはセンサから走行状況を算出し、表示装置を用いてこれを表示する。
【０００４】
ドイツ特許出願公開第１０  ２０１４  ２１０  １７０  Ａ１号明細書からは、自動車の乗り物酔いを抑制する方法が既知である。検出された、または予測可能な走行状況に応じて、可聴信号、可視信号、および／または触覚信号が車両乗員に送信される。触覚信号は気流として形成される。
【０００５】
ドイツ特許第１０１５６２１９  Ｃ１号明細書からは、交通手段および輸送手段の乗客の動揺病（kinetosis）の症状を低減する方法および装置が既知である。走行中、光学式再生装置を介して、乗客のために画像信号が提供される。乗客にとって、目にする画像の視覚的な印象が、現在主観的に知覚する位置の値および動きの値と関連するように、走行に特定される動きのデータに応じて画像信号が変更される。
【０００６】
ドイツ特許出願公開第１０２０１４０１３５８５  Ａ１号明細書からは、ルートを走行する際の車両の挙動をコントロールする方法が既知である。車両のための傾斜技術を実施するために、車両の車体軸の周りの少なくとも１つの傾斜角が影響を受ける。
【先行技術文献】
【特許文献】
【０００７】
【特許文献１】ドイツ実用新案出願公開第２０１１６４６９  Ｕ１号
【特許文献２】ドイツ特許出願公開第１０  ２０１４  ２１０  １７０  Ａ１号
【特許文献３】ドイツ特許第１０１５６２１９  Ｃ１号
【特許文献４】ドイツ特許出願公開第１０２０１４０１３５８５  Ａ１号
【発明の概要】
【発明が解決しようとする課題】
【０００８】
従来技術を鑑みて、本発明の課題は、車両ユーザの快適性を向上させる改良された方法を提供することである。
【課題を解決するための手段】
【０００９】
上述の課題を鑑みて、本発明は、請求項１に記載の車両の快適性を適合させる方法、請求項１０に記載の車両のための調整装置、および請求項１２に記載の車両を提案する。さらなる有利な実施形態および発展形態は、従属請求項から明らかである。
【００１０】
車両の快適性を少なくとも１人の車両ユーザのために適合させる方法を実行するために、車両は、少なくとも１人の車両ユーザと車両との間の相互作用のためのＨＭＩシステムを備える。さらに、車両は、少なくとも1人の車両ユーザの位置を道路に対して適合させるシャーシシステムを備える。さらに、車両は、車両の動きを計画および調整する位置計画装置を備える。またさらに、車両は、ＨＭＩシステム、位置計画装置、およびシャーシシステムと接続された調整装置を備える。調整装置はメモリを備える。
【００１１】
この方法では、少なくとも１人の車両ユーザのための目標快適領域は、調整装置のメモリに記憶されている。ＨＭＩシステムを用いて、少なくとも１人の車両ユーザの現在の快適領域を常に決定する。現在の快適領域を、目標快適領域と常に比較する。調整装置は、比較結果に基づいてシャーシシステムを作動させる。その際、目標快適領域に到達するまで、現在の快適領域が目標快適領域に近づくように、少なくとも１人の車両ユーザの位置を道路に対して適合させる。
【００１２】
車両は、自動車、商用車、または同様の車両である。車両は、自律的に、または自動化されて走行することができる。これは、車両が、特定の状況において、または常に、もはや運転者を必要としないことを意味する。車両は、交通状況を自動で検出し、評価し、適切に反応することができる。還元すると、車両が車両自体を制御するのである。運転者は車両ユーザとなる。車両ユーザは、走行中に道路交通に集中する必要がなく、運転者の注意を道路から離して他の活動に向けることができる。さらに、車両ユーザはその手を、ステアリングホイール等から離すことができる。したがって、車両は、例えば、運転自動化レベル３、レベル４、またはレベル５を示すことができる。
【００１３】
この方法は、少なくとも１人のために使用される。もちろん、複数の車両ユーザが車両を共有することも可能である。この場合、方法は車両ユーザの各々に対して使用される。車両ユーザが複数である際には、例えば、平均快適領域を、すべての車両ユーザのために目標快適領域として選択することができる。代替的に、個々の車両ユーザの目標快適領域を、例えば現在の快適領域が最も少ない車両ユーザの目標快適領域を、すべての車両ユーザのための目標快適領域として設定することができる。
【００１４】
ＨＭＩシステムは、少なくとも１人の車両ユーザと車両との間の相互作用のために備えられている。これは、車両ユーザが、ＨＭＩシステムを用いて、データおよび情報を、車両に、より正確には車両のサブシステムに伝達可能であることを意味する。同様に、車両ユーザは、ＨＭＩシステムを用いて、車両から、より正確には車両のサブシステムから、データおよび情報を受信することができる。つまり、ＨＭＩシステムは、車両ユーザと車両との間を通信する役割を果たす。この場合、サブシステムとは、車両において機能を実行する個々の車両システムである。例えばサブシステムとして、空調装置、エンタテインメントシステム、シャーシシステム等が挙げられる。
【００１５】
ＨＭＩシステムは、この場合、少なくとも１つの出力装置と、少なくとも１つの入力装置と、を備える。入力装置は、情報およびデータを車両ユーザから受信する役割を果たす。出力装置は、情報およびデータを車両ユーザに対して出力する役割を果たす。入力装置は、例として車両ユーザを監視すする室内カメラが挙げられる、光学センサとして構成することができる。これに対して代替的に、または追加的に、入力装置をタッチスクリーンとして構成することができる。この場合、車両ユーザは、タッチスクリーンを介してデータを入力できる。これに対して代替的に、または追加的に、入力装置を音響センサとして構成することができる。この場合、車両ユーザは口頭でデータを入力可能であり、またはノイズを検出することができる。これに対して代替的に、または追加的に、入力装置をバイタリティセンサシステムとして構成することができる。その際、車両ユーザの１つ以上のバイタルパラメータが監視される。ＨＭＩシステムは、決定したデータまたは受信したデータを、ＨＭＩシステム自体で評価してよく、またはこれらのデータを、評価を引き継ぐ調整装置６に転送することができる。
【００１６】
シャーシシステムは、少なくとも１人の車両ユーザの位置を道路に対して適合させる役割を果たす。この場合、車両は道路上を移動する。シャーシシステムは、車両の長手方向軸線、横方向軸線、および垂直軸線を中心とする車両ユーザの傾斜、傾斜速度、および傾斜加速度を調整することができる。長手方向軸線は車両の長手方向を画定する。横方向軸線は車両の横方向を画定する。そして垂直軸線は車両の垂直方向を画定する。この目的のために、シャーシシステムは、適応型シャーシもしくは適応型キャブマウント、または両方の組み合わせを備えることができる。さらに、シャーシシステムは、これに対して追加的に、または代替的に、例えばアクティブな後軸操舵装置を備えることができる。「適応型」とは、適合させることができるという意味で理解される。換言すると、シャーシシステムは、例えば傾斜するテクニックを有する。さらに、シャーシシステムは、車両サスペンションおよび車両ダンピングを調整することができる。この目的のために、シャーシシステムは、適応型のサスペンションおよびダンピング装置を備えることができる。シャーシシステムは、現在の傾斜および現在のダンピングを決定するセンサを装備されてよい。これらの傾斜データおよびダンピングデータは、センサ自体によって評価されるか、または傾斜データおよびダンピングデータを評価する調整装置へ転送されてよい。
【００１７】
位置計画装置は、車両の動きを計画および調整するために備えられている。この計画は、効率パラメータ、安全性パラメータ、および快適性パラメータに基づくものである。計画は、アルゴリズムを用いて実行される。位置計画装置は、ルート全体を走行する間に実行されなければならない運転操作に関して、車両の動きを計画する。運転操作の計画は、例えば、車両速度、曲率半径、車両加速度の計画、したがって軌道の計画を含む。この場合、軌道とは、速度プロフィールを有する車両がその上を動く、湾曲経路である。これに対して追加的に、位置計画装置は、ルート全体に関して車両の動きを計画することができる、つまり走行経路を設定することができる。このために、位置計画装置は、例えばＧＰＳシステム、Ｃ２Ｘシステム、または類似のシステム等の、位置決定システムを備える。位置計画装置は、車両の動きに関するデータを調整装置に転送する。
【００１８】
車両は、ＨＭＩシステム、位置計画装置、およびシャーシシステムと接続された調整装置を備える。調整装置はメモリを備える。もちろん、調整装置は更なる車両システムまたはサブシステムと接続されてよい。メモリは、データメモリである。調整装置は、例えば、ＥＣＵまたはドメインＥＣＵとして形成されている。データ交換は、調整装置、ＨＭＩシステム、シャーシシステム、および位置計画装置の間で行うことができる。換言すれば、調整装置は、ＨＭＩシステムから、シャーシシステムから、および位置計画システムからデータを受信することができる。さらに、調整装置は、ＨＭＩシステム、シャーシシステム、および位置計画システムを作動させることができる。調整装置は、シャーシシステムが、少なくとも１人の車両ユーザの位置を道路に対して適合させるように、作動させることができる。調整装置は、ＨＭＩシステムが、少なくとも１人の車両ユーザに、例えば車両の軌道に関する情報を通信し、また少なくとも１人の車両ユーザを監視するように、ＨＭＩシステムを作動させることができる。調整装置は、位置計画システムが車両の動きを所定の方法で計画し、例えば狭い曲率半径かつ高速での俊敏な運転操作が実行されるように、位置計画システムを作動させることができる。所定の運転操作のパラメータは、調整装置のメモリに記憶されている。これらのパラメータは、例えば車両速度、車両加速度、操舵角、車両の傾斜等とすることができる。
【００１９】
少なくとも１人の車両ユーザのための目標快適領域は、調整装置のメモリに記憶されている。この目標快適領域は、少なくとも１人の車両ユーザの視覚的な印象が、体験可能な車両のドライビングダイナミクスと一致する快適領域である。さらに、少なくとも１人の車両ユーザは、この目標快適領域において、発生するドライビングダイナミクスに関して十分に高い予想能力を有する。この目標快適領域の更なる特性は、車両内の少なくとも１人の車両ユーザの安心感が、十分に高いことである。車両の走行スタイルは、少なくとも１人の車両ユーザに、不快感または不安な状態を引き起こさせない。この目標快適領域において、車両ユーザは、例えば、快適さを感じ、かつ動揺の兆候がない。例えば、車両ユーザは、この目標快適領域において動揺病の兆候を有さず、ストレスを受けない。車両ユーザのバイタルパラメータは、リラックスした状態に適合する領域にある。
【００２０】
例えば、少なくとも１人の車両ユーザは、自分の好適な目標快適領域を自身で設定し、それをメモリに保存することができる。これに対して代替的に、目標快適領域を、例えば、十分に大きな試験グループのための統計的評価を用いて設定された一般的な目標快適領域として、メモリに記憶させることができる。さらに、これに対して代替的に、ＨＭＩシステムを用いて、校正フェーズの目標快適領域を決定することができる。目標快適領域は、走行状況または追及される副次的行為に応じて、変化しない。これは、目標快適領域が常に同一であることを意味する。
【００２１】
ＨＭＩシステムを用いて、少なくとも１人の車両ユーザの快適性を適合させる方法を実行する間に、少なくとも１人の車両ユーザの現在の快適領域を常に決定する。これは、少なくとも１人の車両ユーザが車両内にいる限り、すなわち車両の全走行中に、現在の快適領域を中断無く決定することを意味する。ＨＭＩシステムは、その入力装置を使用して現在の快適領域を決定する。例えば、少なくとも１人の車両ユーザは、光学センサ、音響センサ、および／またはバイタリティセンサによって監視される。これに対して代替的に、または追加的に、少なくとも１人の車両ユーザは、自分の現在の快適領域を手動で入力することができる。つまり、車両ユーザの状態が監視される。
【００２２】
続いて、現在の快適領域を目標快適領域と常に比較する。常に比較するとは、調整ループが作動中であることを意味する。現在の快適領域を絶えず決定し、現在の快適領域が目標快適領域から逸脱する場合、調整装置を用いて調整を行う。その際、調整装置は、目標快適領域に到達するまで、現在の快適領域が目標快適領域に近づくように、少なくとも１人の車両ユーザの位置を道路に対して変更すべく、シャーシシステムを作動させる。現在の車両ユーザの快適領域が目標快適領域と同一になるまで、少なくとも１人の車両ユーザの道路に対する位置を変更する。この場合、少なくとも１人の車両ユーザの現在の快適領域を、ＨＭＩシステムを用いて、さらに決定する。
【００２３】
少なくとも１人の車両ユーザの位置を、道路に対して、例えば、少なくとも１人の車両ユーザに対して遠心力が作用しない、またはわずかな遠心力しか作用しないように変更する。これに対して代替的に、または追加的に、少なくとも１人の車両ユーザが、例えば地面の波うち、またはくぼみ等の車道起伏に全く気づかない、またはほんの僅かに気づくのみであるように、少なくとも１人の車両ユーザの位置を道路に対して変更することができる。これに対して代替的に、または追加的に、加速または制動の際の車両のピッチング運動を補償することができる。その結果、少なくとも１人の車両ユーザに対して、長手方向加速が作用しない、または長手方向加速は僅かに作用するのみである。
【００２４】
この方法の利点は、シャーシシステムを、少なくとも１人の車両ユーザの現在の快適領域にのみ応じて作動させ、調整できることである。そのため、各車両ユーザのために、その位置を、個別にその感覚に応じて、道路に対して適合させることができる。こうしたことは、異なる車両ユーザが異なる時点で異なる快適感を有するために、有利である。例えば、現在の快適領域が目標快適領域に近い車両ユーザの位置は、現在の快適領域が目標快適領域から大きく逸脱している車両ユーザの位置ほど、道路に対して強く適合させる必要はない。さらに、例えば、車両の走行イベントを注意深く監視する車両ユーザの位置は、副次的行為に従事している車両ユーザの位置ほど、道路に対して強く適合させる必要はない。
【００２５】
一実施形態によれば、調整装置は、比較結果に基づいて、シャーシシステムを作動させることに加えて、ＨＭＩシステムを作動させる。少なくとも１人の車両ユーザに、車両の位置計画装置の現在の動きのデータを、ＨＭＩシステムを用いて通信し、それによって、目標快適領域に到達するまで、現在の快適領域が目標快適領域に近づく。したがって、少なくとも１人の車両ユーザに、例えば、どの速度、どの加速度、どの勾配角、どの傾斜角、どの曲率半径、および／またはどの進行方向が現在存在するかを通信する。車両ユーザは、走行イベントに追従する必要がなく、車両がどのように動いているかを認識できる。そのため、これが車両ユーザの快適性の向上に寄与する。これによって、少なくとも１人の車両ユーザは、車両のドライビングダイナミクスを予測することができる。
【００２６】
通信は、ＨＭＩシステムの出力装置を用いて行われる。例えば、これは、音響出力、触覚出力、および／または光学出力、またはそれらの組み合わせとすることができる。
【００２７】
更なる実施形態によれば、少なくとも１人の車両ユーザに、車両の位置計画装置の将来の動きのデータを、ＨＩＭシステムを用いて通信する。したがって、少なくとも１人の車両ユーザに、将来存在する動きのデータが通信される。例えば、少なくとも１人の車両ユーザに、ルート経過に基づいて、どの速度、どの加速度、どの勾配角、どの傾斜角、どの曲率半径、および／またはどの進行方向が将来存在するかを通信する。この将来の動きのデータは、位置計画装置の計画に基づいて再生される。
【００２８】
この場合、いつまでの期間の将来の動きのデータを通信すべきか、例えば、少なくとも１人の車両ユーザが設定することができる。車両ユーザは、例えば、最長５分または最長１０分まで、または例えば最長０．５ｋｍ、１ｋｍ、または１．５ｋｍまでの動きのデータを現在のものとして、それら動きのデータのみを、車両ユーザが通信して取得するように、指定することができる。これらの数字は、ここでは純粋に例示的なものとして選択されている。
【００２９】
更なる実施形態により、調整装置は、追加的に、車両のインテリアシステムを作動させる。インテリアシステムを、目標快適領域に到達するまで、現在の快適領域が目標快適領域に近づくように適合させる。車両は、調整装置と接続されたインテリアシステムを備える。インテリアシステムは、例えば、調整可能な車両シート、車両の空調装置および換気装置、室内照明、エンタテインメントシステム、または車両の室内に配置された更なるシステムを含む。したがって、インテリアシステムは、すべての車両室内システムのための上位概念である。インテリアシステムは、調整装置とインテリアシステムとの間でデータ交換を行うことができるように、調整装置と接続されている。
【００３０】
調整装置は、少なくとも１人の車両ユーザの目標快適領域と現在の快適領域との間の比較結果に基づいて、インテリアシステムを作動させ、インテリアシステムにおいて適合を実行する。これらの適合を、少なくとも１人の車両ユーザの現在の快適領域が目標快適領域と一致するまで実行する。これらの適合を、車両ユーザの位置を道路に対して変更することに対して追加的に行う。
【００３１】
例えば、車両の室内の空調および換気は、新鮮な空気供給が増加される、および／または室内温度が所望の値、例えば約摂氏２１度になるように適合される。これに対して追加的に、または代替的に、例えば、車両シートは、少なくとも１人の車両ユーザが、例えば直立の座位、またはリクライニング位置等の、変化した着座位置をとるように調整される。これに対して追加的に、または代替的に、例えば、車両の室内照明が、例えばほの暗くする、または着色する等して適合される。これに対して追加的に、または代替的に、エンタテインメントシステムがスイッチオン、オフされる。または、所定のメディア（音楽、ビデオ、画像、オーディオブック等）が、快適性を高めるためにアップロードされる。
【００３２】
更なる実施形態により、ＨＭＩシステムは、少なくとも１人の車両ユーザの注意深さの程度を決定する。注意深さの程度の決定は、運転者の状態監視の一部であり、したがって現在の快適領域の決定の一部である。注意深さの程度は、例えば従来の方法で、例えば少なくとも１人の車両ユーザの目の動きまたは頭の動きに基づいて決定することができる。この場合、例えば、少なくとも１人の車両ユーザが副次的行為に従事しているために気を散らされている、または、車両ユーザは、その目を道路に向けているために、車両の走行イベントを注意深く追っている、等を決定する。さらに、注意深さの程度は、少なくとも１人の車両ユーザの予想能力によって、および安全性の感覚によって、影響される可能性がある。
【００３３】
不注意な車両ユーザの場合、走行イベントのその認識と、実際の走行イベントとが、相互に異なる。これが動揺病の原因となる可能性がある。したがって、不注意な車両ユーザの現在の快適領域は、注意深い車両ユーザの現在の快適領域とは異なる。そのため、不注意な車両ユーザの場合には、注意深い車両ユーザの場合よりも、大きな適合をシャーシシステムに対して行わなければならない。例えば、不注意な車両ユーザの場合、シャーシシステムを用いて、その位置を路面に対して適合させ、ならびに現在および将来の動きのデータを通信するという、両方を行うことができる。これに対して、注意深い車両ユーザの場合、注意深い車両ユーザが走行イベントを監視するために、シャーシシステムを用いて、その位置のみを路面に対して適合させ、動きのデータの通信を省略することができる。
【００３４】
更なる実施形態により、位置計画装置は、動きのデータの一部として、車両の軌道を計画する。少なくとも１人の車両ユーザに、これらの軌道を、ＨＭＩシステムを用いて通信する。例えば、軌道は、光学的、音響的、または触覚的に少なくとも１人の車両ユーザに伝達される。少なくとも１人の車両ユーザに、例えば、道路上のカーブをどの曲率半径、およびどの速度で走行するかを示すことができる。そのため、車両ユーザは、車両の走行イベントを監視せずに、車両の動きに適合することができる。
【００３５】
更なる実施形態により、調整装置は、追加的に、位置計画装置を作動させる。その際、目標快適領域に到達するまで、現在の快適領域が目標快適領域に近づくように、車両の動きの計画を適合させる。この場合、調整装置は、車両の動きの計画に直接に影響を及ぼす。例えば、少なくとも１人の車両ユーザの決定された現在の快適領域が、目標快適領域から大きく逸脱する場合、現在の快適領域が目標快適領域に近い車両ユーザの場合と比較して、より滑らかな動き、すなわち狭い曲率半径がより少なく、より速度が低い、滑らかな動きを計画することができる。
【００３６】
さらに、走行の開始から、現在の快適領域に合致するルートを選択することができる。例えば、目標快適領域と現在の快適領域との間に大きな偏差がある場合には、例えば要求されるのが低速、低加速度であり、またはカーブ走行が少ない、要求の少ないルートを選択することができる。
【００３７】
更なる実施形態により、少なくとも１人の車両ユーザの現在の快適領域を、ＨＭＩシステムを用いて検出したバイタルパラメータに基づいて決定する。これらのバイタルパラメータは、少なくとも１人の車両ユーザの健康状態に関する情報を提供する。この情報から、アルゴリズムを用いて、現在の快適領域が導出される。
【００３８】
更なる実施形態により、ＨＭＩシステムは、少なくとも１人の車両ユーザと光学的および／または音響的および／または触覚的に通信する。もちろん、２つの通信可能性、またはすべての３つの通信可能性を組み合わせることが可能である。
【００３９】
車両のための調整装置は、車両のＨＭＩシステム、シャーシシステム、および位置計画装置と接続可能である。さらに、調整装置をインテリアシステムと接続可能にすることができる。この場合、接続可能とは、接続を行うことができることを意味する。この接続は、データ交換を行うことが可能なものである。調整装置は、前述の説明において既述された。ＨＭＩシステム、シャーシシステム、位置計画装置、およびインテリアシステムは、前述の説明において既述された。調整装置は、車両の快適性を少なくとも１人の車両ユーザのために適合させる方法を実行する。この方法は、前述の説明において既述された。さらに、調整装置はメモリを備える。メモリは、データメモリである。もちろん、調整装置は更なる車両システムまたはサブシステムと接続されてよい。調整装置は、例えば、ＥＣＵまたはドメインＥＣＵとして形成されている。
【００４０】
少なくとも１人の車両ユーザのための車両は、ＨＭＩシステムと、シャーシシステムと、位置計画装置と、を備える。さらに、車両はインテリアシステムを備えることができる。車両は調整装置を備える。ＨＭＩシステム、シャーシシステム、位置計画装置、インテリアシステム、および調整装置は、前述の説明において既述された。車両は、車両の快適性を少なくとも１人の車両ユーザのために適合させる方法を実行する。この車両は、前述の説明において既述された。
【００４１】
本発明の多様な実施形態および詳細を、以下に説明する図面を参照して詳述する。
【図面の簡単な説明】
【００４２】
【図１】快適性を適合させる方法を実行することができる実施形態による、調整装置の概略図である。
【図２】図１の調整装置を備える更なる実施形態による、車両の概略図である。
【図３】方法を実行する際に、図１の調整装置が実行する実施形態による、調整ループの概略図である。
【発明を実施するための形態】
【００４３】
図１は、快適性を適合させる方法Ｖを実行することができる実施形態による、調整装置６の概略図を示す。車両１の多様なシステムと接続された調整装置６が示されている。調整装置６は、シャーシシステム４、位置計画装置５、インテリアシステム７、およびＨＭＩシステム３と接続されている。この場合、ＨＭＩシステム３は、入力装置８および出力装置９を備える。
【００４４】
調整装置６と他のシステムとの間は、データ交換を行うことができるように接続されている。したがって、調整装置６は、個々のシステムのデータを受信する、またはこれらのシステムにデータを送信することができる。さらに、調整装置６は、シャーシシステム４、インテリアシステム７、位置計画装置５、およびＨＭＩシステム３を作動させることができる。調整装置６は、ＨＭＩシステム３の入力装置８および出力装置９を、相互に独立して作動させることができる。調整装置は、例えば、ＥＣＵとして、またはドメインＥＣＵとして形成されている。
【００４５】
ＨＭＩシステム３の入力装置８は、情報およびデータを車両ユーザ２から受信する役割を果たす。ＨＭＩシステム３の出力装置９は、情報およびデータを車両ユーザ２に対して出力する役割を果たす。ＨＭＩシステム３の入力装置８が車両ユーザ２から受信したデータは、ＨＭＩシステム３自体が評価してよく、またはＨＭＩシステム３が、評価を引き継ぐ調整装置６にデータを転送してもよい。データは、音響的、光学的、または触覚的な方法で、またはこれらの組み合わせによって記録することができる。調整装置６は、特定の情報またはデータが、特定の時点で、車両ユーザ２に表示または出力されるように、ＨＭＩシステム３の出力装置９を作動させることができる。これは、音響的、光学的または触覚的な方法で、またはこれらの方法の組み合わせによって行うことができる。
【００４６】
調整装置６は、道路に対する車両ユーザ２の位置が変更されるように、シャーシシステム４を作動させることができる。これは、車両ユーザ２の現在の快適領域にポジティブな影響を及ぼすために行われる。
【００４７】
調整装置６は、位置計画装置５から、車両の動きを計画するためのデータを受信する。これらデータを、ＨＭＩシステム３を用いて、より正確には出力装置９を用いて、車両ユーザ２に出力することができる。さらに、調整装置６は、位置計画装置５が、車両ユーザ２の現在の快適領域に対してポジティブな効果を有する車両１の動きを計画するように、位置計画装置５を作動させることができる。
【００４８】
調整装置６は、インテリアシステム７を作動させ、車両ユーザ２の現在の快適領域がポジティブに変化するように、インテリアシステム７を適合させることができる。インテリアシステム７は、例えば、空調装置１１または調整可能な車両シート１０を備える。調整装置６は、インテリアシステム７の各個別システムを作動させ、車両ユーザ２の現在の快適領域がポジティブに変化するように、各個別システムを調整することができる。例えば、空調装置を用いて、車両温度を変更することができる。
【００４９】
図２は、図１の調整装置６を備える更なる実施形態による、車両１の概略図を示す。車両ユーザ２が乗車している車両１が示される。車両ユーザ２は、インテリアシステム７の一部であるシート１０に着座している。車両１は、シャーシシステム４と、調整装置６と、位置計画装置５と、出力装置９および入力装置を有するＨＭＩシステム３と、を備える。さらに、車両はインテリアシステム７を備える。インテリアシステム７は、シート１０に加えて、空調装置１１を備える。
【００５０】
調整装置６は、ＨＭＩシステム３の入力装置８および出力装置９と接続されている。さらに、調整装置６はシャーシシステム４と接続されている。調整装置６は、インテリアシステム７のシート１０および空調装置１１とも接続されている。さらに、調整装置６は位置計画装置５と接続されている。したがって、調整装置６は、シャーシシステム４、ＨＭＩシステム３、およびインテリアシステム７、ならびに位置計画装置５を作動させることができる。
【００５１】
ＨＭＩシステム３は、入力装置８を用いて、車両ユーザ２の現在の快適領域を決定する。これは、例えば、運転者の状態監視によって、バイタリティパラメータ測定によって、または注意深さの検出によって行うことができる。車両ユーザ２の現在の快適領域を決定する、更なる可能性も存在する。例えば、車両ユーザ２が、自分の現在の快適領域を入力することができる。車両ユーザ２の目標快適領域は、ＨＭＩシステム３のデータメモリに保存されている。車両ユーザ２の目標快適領域は、車両ユーザ２の現在の快適領域と比較される。この比較は、常に行われる。これは、図３に詳細に示されている。車両ユーザ２の現在の快適領域が、車両ユーザ２の目標快適領域から逸脱すると、調整装置６は、車両ユーザ２の現在の快適領域を目標快適領域に近づけるために、車両１の多様なシステムを作動させる。
【００５２】
調整装置６は、車両ユーザ２の道路に対する位置が変更されるように、シャーシシステム４を作動させる。この変更は、例えば、カーブを走行する際に車両ユーザに作用する力の強さが弱まるように行われる。例えば、シャーシシステム４のシャーシは、それに適応するように形成されている。カーブ走行が差し迫っているとき、その情報は、位置計画装置５によって調整装置６に転送される。さらに、位置計画装置５が、走行ルート上で発生する速度、加速度、軌道、および同様のパラメータに関する情報を調整装置６に転送する。
【００５３】
調整装置６は、さらに、ＨＭＩシステム３の出力装置９を作動させる。ＨＭＩシステム３の出力装置９を用いて、車両ユーザ２に、車両１での走行の間に、どの軌道、どの速度、どの加速度、およびどの傾斜角が、現在そして将来発生するかが示される。調整装置６は、これらの情報を位置計画装置５から受信していた。したがって、出力装置９を用いて、車両ユーザ２に、車両１での走行の際に、現在および将来何が起こるか通信される。したがって、車両ユーザ２は、現在および将来の状況に適応することができる。これによって、車両ユーザ２の現在の快適領域が、高まるまたは改善する。
【００５４】
さらに、調整装置６は、インテリアシステム７の車両シート１０を作動させる。これによって、車両ユーザ２の着座位置が変更される。例えば、車両ユーザ２がより快適に座れるように変更することができる。これによって、車両ユーザ２の現在の快適領域が、ポジティブな影響を受ける。
【００５５】
さらに、調整装置６は、インテリアシステム７の空調装置１１を作動させる。例えば、車両１への空気供給を著しく増加させ、車両１内部の温度を調整装置６によって適合させ、車両ユーザ２にとって快適な温度とする。車両ユーザ２にとってどの温度が快適であるかは、例えば、走行を開始する前に設定することができる。次いで、これが調整装置６のメモリに記憶される。
【００５６】
車両１での走行の間に、車両ユーザ２の現在の快適領域を常に決定し、目標快適領域と常に比較することによって、調整装置６は、車両ユーザ２の現在の快適領域が目標快適領域と一致するまで、調整装置６と接続された全てのシステムを再調整する。この調整ループは、図３に、より詳細に示されている。
【００５７】
図３は、方法Ｖを実行する際に、図１の調整装置６が実行する実施形態による、調整ループの概略図を示す。調整ループにとって、車両ユーザの目標快適領域１０１と現在の快適領域１０２との間を比較するステップ１０３が中心である。この現在の快適領域１０２を常に決定するステップ１１４が、続く。この車両ユーザ２の現在の快適領域１０２を決定するステップ１１４には、例えば、注意深さの程度、精神の状態、または予想される走行スタイルが含まれる。これは、矢印１０８で示されている。
【００５８】
車両での走行の間に、多様なファクターが車両ユーザ２に対して作用する。例えば、道および現存する交通１０７は、車両ユーザ２に対して直接の効果１０６を有する。これは、例えば、回避的操作、制動プロセス、加速プロセス等を実行しなければならない場合である。力が車両ユーザ２に対して作用するため、これらの効果１０６は物理的性質を有する。さらに、道および交通１０７は、車両ユーザ２対して異なる効果も及ぼす。走行ルートの視認性１１２は、車両ユーザ２に対する影響を有する。車両ユーザ２がルートを厳密に監視する場合、これらの効果は、車両ユーザ２がルートを見ることができない場合とは異なる。これは、車両ユーザ２の現在の快適領域１０２の変化につながる。さらに、車両１自体が車両ユーザ２に対する効果を有する。現在および将来のドライビングダイナミクスおよび軌道を表示するステップ１１３は、車両ユーザ２の現在の快適領域１０２に直接に効果を及ぼす。この表示するステップ１１３は、ＨＭＩシステムを用いて行われる。
【００５９】
車両１は、位置計画装置５を用いて動きを計画および調整するステップ１０５、ならびにシャーシシステム４を適合させるステップ１０４の両方に影響を及ぼす。この場合、シャーシシステム４を適合させるステップ１０４、ならびに位置計画装置５を用いて動きを計画および調整するステップ１０５は、相互に影響し合う。これは、二重矢印によって示されている。さらに、道および交通１０７は、位置計画装置５およびシャーシシステム４の両方に直接に影響を及ぼす。道および交通１０７は、インフラストラクチャおよび周囲条件１０９に関する前提条件を提供するためである。したがって、この動きを計画するステップ１０５の動きを、計画および調整する位置計画装置５、および適合させるステップ１０４で適合されたシャーシシステム４は、道および交通１０７ならびに車両１自体から影響を受ける。同様に、車両１は、位置計画装置５を用いて動きを計画および調整するステップ１０５から、ならびにシャーシシステムを適合させるステップ１０４から、影響を受ける。なぜなら、車両1において、ステアリングおよび加速、ならびにシャーシのパラメータもが影響を受けるためである。さらに、車両１は、当然ながら、交通および道１０７に対しても効果を及ぼす。
【００６０】
位置計画装置を用いて動きを計画および調整するステップ１０５、およびシャーシシステムを適合させるステップ１０４は、目標快適領域１０１と現在の快適領域１０２との間を比較するステップ１０３に基づいて実行する。したがって、車両ユーザ２の快適性を適合させる方法Ｖの複雑な調整ループが示されている。
【００６１】
本明細書に示す例は、単に例示的に選択されている。例えば、調整ループは、例えばインテリアシステムおよび更なるサブシステムのような、また更なるファクターを備えてよい。さらに、車両ユーザの現在の快適領域は、位置計画装置を用いて動きを計画および調整するステップに対して、直接に影響を及ぼすことができる。
【符号の説明】
【００６２】
１  車両
２  車両ユーザ
３  ＨＭＩシステム
４  シャーシシステム
５  位置計画装置
６  調整装置
７  インテリアシステム
８  入力装置
９  出力装置
１０  シート
１１  空調装置
Ｖ  方法
１０１  目標快適領域
１０２  現在の快適領域
１０３  比較するステップ
１０５  位置計画装置を用いて動きを計画および調整するステップ
１０４  シャーシシステムを適合させるステップ
１０６  車両ユーザに対する、道および交通の効果
１０７  道および交通
１０８  注意深さの程度、精神の状態、予想される走行スタイル
１０９  インフラストラクチャおよび周囲条件に関する前提条件
１１０  ドライビングダイナミクス
１１１  ステアリング、加速、およびシャーシのパラメータの影響
１１２  走行ルートの視認性
１１３  現在および将来のドライビングダイナミクスおよび軌道を表示するステップ
１１４  現在の快適領域を決定するステップ
【図１】
2021501718.tif 000003
【図２】
2021501718.tif 000004
【図３】
2021501718.tif 000005
【国際調査報告】
2021501718.tif 000006
2021501718.tif 000007
2021501718.tif 000008
2021501718.tif 000009